(57)【要約】      （修正有）【課題】生花の収納及び取り出しが容易に行い得ながら、外部から観ることができ、且つ、生花の種類（大きさ）が変わっても、収納位置を保持（固定）し易い生花包装箱を提供する。【解決手段】一方端に挿入口２が開口された外箱体１と、外箱体１の挿入口２に対して挿抜自在で、一側面が解放された内箱体３とから成り、外箱体１の一方端に近接して、覗き窓４を形成すると共に該覗き窓４を透明カバー５により被覆し、且つ、外箱体１の覗き窓４が位置する側の内箱体３の側壁にスリット６、６を２箇所設け、前記スリット６にテープ状体７が挿通されて収納生花１０の所定位置を抑えるようにしている。【選択図】図４
0003144837.tif 000002
【実用新案登録請求の範囲】
【考案の詳細な説明】
【技術分野】
【０００１】  本考案は、生花の贈答等に際して用いる生花包装箱に関する。
【背景技術】
【０００２】  生花の販売に際して用いる最も簡単で、多用されている包装方法は、フィルム、シート、或いは包装紙を用いたラッピングである。
こうした包装方法は、簡単に行い得るという利点はあるが、その包装は、僅かに生花を保護することができても、装飾的なものであって、一般の輸送を目的としたものではない。【０００３】  輸送を可能にした生花の包装形態として、包装箱（紙等）を用いることが考えられているが、生花の全体を被覆する包装箱では、外観上、収納生花を見ることが出来ないという問題があり、内部が見える包装箱というものも提案されている。【０００４】  このような包装箱としては、例えば、次のようなものが提案されている。
【特許文献１】実用新案登録第３０４２４９２号。
【特許文献２】実用新案登録第３１０１８７４号。
【考案の開示】
【考案が解決しようとする課題】
【０００５】  上記のように透視窓を設けることで、収納した生花を外部から見ることができるようになり、単なる包装箱と比較して商品価値が高くなったが、包装箱の内部に収納した生花が、輸送、搬送に際して傷まないようにするための方策を採る必要がある。
この為に、生花を内部で支えるリブ状体を設け、充填物を生花の周囲に入れることが行われていた。
上記リブ状体は、収納する生花の種類、特に、花の大きさが変わると、適切な位置をサポートできなくなるという不都合があり、また、充填物は、例えば、発泡スチロールの顆粒体等は、それ自体、内部で変動するものであるから、生花を傷めることになり、適切なものとは言えない。【０００６】  本考案は、かかる問題点に鑑み、生花包装箱として、生花の収納及び取り出しが容易に行い得ながら、外部から観ることができ、且つ、生花の種類（大きさ）が変わっても、収納位置を保持（固定）し易いところの生花包装箱を提供することを目的とする。
【課題を解決するための手段】
【０００７】  本考案にかかる生花包装箱は、上記課題を解決するために、請求項１に記載の通り、生花包装箱であって、
一方端に挿入口２が開口された外箱体１と、
前記外箱体１の挿入口２に対して挿抜自在で、一側面が解放された内箱体３とから成り、
前記外箱体１の一方端に近接して、覗き窓４を形成すると共に該覗き窓４を透明カバー５により被覆し、且つ、
前記外箱体１の前記覗き窓４が位置する側の前記内箱体３の側壁にスリット６、６を２箇所設け、
前記スリット６にテープ状体７が挿通されて収納生花１０の所定位置を抑えるように構成されていることを特徴とする。【０００８】  本考案の請求項１において、内箱体３の側壁とは、両側の横側壁又は底壁の何れかを言う。
上記外箱体１及び内箱体３は、実施例では紙製であるが、合成樹脂シート等の適宜の素材で構成されてよい。
また、外箱体１及び内箱体３は、実施例の直方体形状が好ましいが、円筒状体（楕円断面を含む）でもよく、更に、三角形状等の多角形状でもよい。この際、横側壁、底壁の概念は、夫々実質的に対応する箇所を指すものとする。
そして、覗き窓４についても、その形状は適宜選定できるものであり、そこを被覆する透明カバー５についても、透明フィルム、着色半透明フィルム、透明樹脂シート等が適宜使用できる。
又、前記スリット６、６は、長孔であっても、丸孔であっても、その形状は問わないものであり、そこに挿通されるテープ状体７が挿通できる形状であればよい。そのテープ状体７としては、実施例で用いた包装用に使用されるリボンが好ましいが、紐状体、帯紐状体、一般のテーピィングに用いるテープ、マジックテープ等、適宜のものを使用してよい。前記テープ状体７の端部は、粘着テープにより底壁３Ｂに止められるが、ステイプラー止めでも、結びによって止めてもよいものである。
【考案の効果】
【０００９】  本考案にかかる生花包装箱によれば、一側面が解放された内箱体３を用いることによって生花を上方から入れることができて収納が容易であり、また、外箱体１に対して内箱体３を引き出しのように操作するので、生花の取り出しが容易に行い得ると共に覗き窓４によって外部から生花を見ることができ、且つ、スリット６、６とテープ状体７を用いて生花を抑える（固定する）ものであるから、生花の種類（大きさ）が変わっても、柔軟に対応できて、収納位置を保持（固定）し易く、輸送、搬送に際して花が損傷される虞を回避できるという利点がある。
本考案のその他の利点は、以下の説明から明らかとなろう。
【考案を実施するための最良の形態】
【００１０】  本考案の実施に際しては、前記外箱体１の覗き窓４が存在する側の内箱体３の端部に開閉蓋８が設けられ、該開閉蓋８の略中央に少なくとも指が挿入できる大きさの開口９が形成されているのが好ましい。
このように構成することで、生花に対する空気の流通を確保できると共に内箱体３を外箱体１から引き出す時に指を開口９に差し込んで引っ掛け、容易に引き出し操作ができる。【００１１】  また、前記外箱体１と内箱体３が、直方体状に構成され、前記スリット６、６が、前記内箱体３の横側壁３Ａ、３Ａの対向する位置に形成され、前記テープ状体７により収納生花１０の花の略直下茎部を抑えるようにされているのが好ましい。このように構成することで、収納生花１０の花の略直下茎部を抑えることができて、生花の花の部分が移動するのをより確実に阻止して、輸送時の花の損傷を回避することができる。この際、横側壁３Ａ、３Ａのスリット６、６を用いるので、嵩張った花の部分に対して大きな押さえ圧力が及ばず、比較的穏やかに押さえることができる。前記テープ状体７の端部は、粘着テープにより底壁３Ｂに止められるが、ステイプラー止めでも、結びによってもよいものである。【００１２】  更に、前記外箱体１と内箱体３が、直方体状に構成され、前記外箱体１に内箱体３を収納した状体において、前記スリット６、６が、前記覗き窓４が位置する側の前記内箱体３の横側壁３Ａ、３Ａの対向する位置と、前記覗き窓４が位置する側とは反対側の前記内箱体３の底壁３Ｂとに、所定の間隔を隔てて少なくとも一対対向して形成され、前記テープ状体７により収納生花１０の所定位置を抑えるようにされているのが好ましい。【００１３】  このように構成することで、生花の花の部分と下方の茎の部分との両方を、間隔を隔ててテープ状体７により安定的に抑えることができ、輸送に際して生花が移動して損傷するのをより一層確実に回避できる。
この際、茎の部分は細いので、底壁３Ｂのスリット６、６により直接にタイトに押さえて茎部を確実に固定し易いのである。
【実施例】
【００１４】  図面は、本考案にかかる生花包装箱の好適実施例を示し、図１は外箱体１の斜視図であり、図２は外箱体１の展開図、図３は内箱体３の展開図であり、図４は、内箱体３の斜視図であり、図５は、内箱体３を外箱体１から一部引き出した状体の斜視図であり、図６は、図４のＡ−Ａ矢視断面図、図７は、図４のＢ−Ｂ矢視断面図である。【００１５】  この生花包装箱は、ここでは厚紙により製作されたもので、外箱体１は、全長が７０５ｍｍ、底壁１Ａ、天井壁１Ｂの幅は１０５ｍｍ、横側壁１Ｃの高さは７９ｍｍである。一方の内箱体３は、全長が６９８ｍｍ、底壁３Ｂの幅は１０１ｍｍ、横側壁３Ａの高さは７６ｍｍである。この内箱体３は、図４に示すように、前記横側壁３Ａ、一方の下端部壁３Ｃ及び他方の開閉蓋８が折り返しにより二重壁に構成されている。【００１６】  図１及び図２から分かるように、前記外箱体１には、内箱体３を挿入設置するために、一方端に挿入口２が開口され、他方端は、端部壁により閉鎖されている。
そして、前記内箱体３は、前記外箱体１の挿入口２に対して挿抜自在で、一側面が、生花を入れるために解放された構成とされている。
更に、前記外箱体１の一方端に近接して、覗き窓４を形成すると共に該覗き窓４を透明カバー５により被覆している。この覗き窓４は、図１及び図２に示すように、前記外箱体１の一方端から、所定の長さを離して、ここでは５０ｍｍ離し、底辺が７０ｍｍで、高さが１５０ｍｍの長さの三角形に形成されている。前記透明カバー５は、薄い合成樹脂フィルムである。【００１７】  また、前記外箱体１の前記覗き窓４が位置する側の前記内箱体３の側壁、ここでは、横側壁３Ａ、３Ａにスリット６、６を４箇所設けられ、前記スリット６にテープ状体７が挿通されて収納生花１０の所定位置を抑えるように構成されている。即ち、前記外箱体１と内箱体３が、直方体状に構成され、前記スリット６、６のうちの２個が、前記内箱体３の横側壁３Ａ、３Ａの対向する位置で、端部から１００ｍｍは離れて底壁１Ａに近く、２０ｍｍ離れた位置に、長さ５０ｍｍでスリット幅が４ｍｍでもって形成されている。これにより、前記テープ状体７で収納生花１０の花の略直下茎部を抑えることができる。前記スリット６、６の他方の２個のスリット６′、６′は、前記覗き窓４が位置する側とは反対側の前記内箱体３の底壁３Ｂに同様に所定の間隔を隔てて一対対向して形成され、同様にテープ状体７′により収納生花１０の茎１０′の所定位置を抑えるようにされている。【００１８】  そして、前記外箱体１の覗き窓４が存在する側の内箱体３の端部に開閉蓋８が設けられ、該開閉蓋８の略中央に少なくとも指が挿入できる大きさの開口９が形成されている。この開口９は、ここでは直径２０ｍｍである。
尚、前記テープ状体７の端部は、図６及び図７に示すように、粘着テープ１１で底壁３Ｂに止められる。しかし結びで止めてもよい。【００１９】  上記のように構成されているので、一側面が解放された内箱体３を用いることによって生花を上方から入れることができて収納が容易であり、また、外箱体１に対して内箱体３を引き出しのように操作するので、生花の取り出しが容易に行い得ると共に覗き窓４によって外部から生花を見ることができ、且つ、スリット６、６、６′、６′とテープ状体７、７′を用いて生花を抑える（固定する）ものであるから、生花の種類（大きさ）が変わっても、柔軟に対応できて、収納位置を保持（固定）し易く、輸送、搬送に際して花が損傷される虞を回避できるのである。【００２０】  また、前記外箱体１の覗き窓４が存在する側の内箱体３の端部に開閉蓋８が設けられ、該開閉蓋８の略中央に少なくとも指が挿入できる大きさの開口９が形成されていることで、生花に対する空気の流通を確保できると共に内箱体３を外箱体１から引き出す時に指を開口９に差し込んで引っ掛け、容易に引き出し操作ができる。【００２１】  更に、前記外箱体１と内箱体３が、直方体状に構成され、前記スリット６、６が、前記内箱体３の横側壁３Ａ、３Ａの対向する位置に形成され、前記テープ状体７により収納生花１０の花の略直下茎部を抑えるようにされていることで、収納生花１０の花の略直下茎部を抑えることができて、生花の花の部分が移動するのをより確実に阻止して、輸送時の花の損傷を回避することができる。この際、横側壁３Ａ、３Ａのスリット６、６を用いるので、嵩張った花の部分に対して大きな押さえ圧力が及ばず、比較的穏やかに押さえることができるのである。【００２２】  更に、前記外箱体１と内箱体３が、直方体状に構成され、前記外箱体１に内箱体３を収納した状体において、前記スリット６、６が、前記覗き窓４が位置する側の前記内箱体３の横側壁３Ａ、３Ａの対向する位置と、前記覗き窓４が位置する側とは反対側の前記内箱体３の底壁３Ｂとに、所定の間隔を隔てて少なくとも一対対向して形成され、前記テープ状体７により収納生花１０の所定位置を抑えるようにされていることで、生花の花の部分と下方の茎の部分との両方を、間隔を隔ててテープ状体７により安定的に抑えることができ、輸送に際して生花が移動して損傷するのをより一層確実に回避できる。この際、茎の部分は細いので、底壁３Ｂのスリット６、６により直接にタイトに押さえて茎部を確実に固定し易いのである。
【産業上の利用可能性】
【００２３】  本考案の生花包装箱は、各種（花及びサイズ）の贈答用の生花の搬送に適しているもので、その適用範囲は広い。
【図面の簡単な説明】
【００２４】
【図１】本考案にかかる生花包装箱の全体の斜視図である。
【図２】本考案にかかる生花包装箱の外箱体の展開図である。
【図３】本考案にかかる生花包装箱の内箱体の展開図である。
【図４】本考案にかかる生花包装箱の内箱体の斜視図である。
【図５】本考案にかかる生花包装箱の内箱体を外箱体から一部引き出した状体の斜視図である。
【図６】本考案にかかる生花包装箱の図４のＡ−Ａ矢視断面図である。
【図７】本考案にかかる生花包装箱の図４のＢ−Ｂ矢視断面図である。
【符号の説明】
【００２５】１：外箱体
２：挿入口
３：内箱体
３Ａ：横側壁
３Ｂ：底壁
４：覗き窓
５：透明カバー
６：スリット
７：テープ状体
８：開閉蓋
９：開口
１０：生花
【図１】
0003144837.tif 000003
【図２】
0003144837.tif 000004
【図３】
0003144837.tif 000005
【図４】
0003144837.tif 000006
【図５】
0003144837.tif 000007
【図６】
0003144837.tif 000008
【図７】
0003144837.tif 000009
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
生花包装箱であって、
一方端に挿入口２が開口された外箱体１と、
前記外箱体１の挿入口２に対して挿抜自在で、一側面が解放された内箱体３とから成り、
前記外箱体１の一方端に近接して、覗き窓４を形成すると共に該覗き窓４を透明カバー５により被覆し、且つ、
前記外箱体１の前記覗き窓４が位置する側の前記内箱体３の側壁にスリット６、６を２箇所設け、
前記スリット６にテープ状体７が挿通されて収納生花１０の所定位置を抑えるように構成されていることを特徴とする生花包装箱。
【請求項２】
前記外箱体１の覗き窓４が存在する側の内箱体３の端部に開閉蓋８が設けられ、該開閉蓋８の略中央に少なくとも指が挿入できる大きさの開口９が形成されていることを特徴とする請求項１の生花包装箱。
【請求項３】
前記外箱体１と内箱体３が、直方体状に構成され、前記スリット６、６が、前記内箱体３の横側壁３Ａ、３Ａの対向する位置に形成され、前記テープ状体７により収納生花１０の花の略直下茎部を抑えるようにされていることを特徴とする請求項１又は請求項２の生花包装箱。
【請求項４】
前記外箱体１と内箱体３が、直方体状に構成され、前記外箱体１に内箱体３を収納した状体において、前記スリット６、６が、前記覗き窓４が位置する側の前記内箱体３の横側壁３Ａ、３Ａの対向する位置に形成され、且つ、前記覗き窓４が位置する側とは反対側の前記内箱体３の底壁３Ｂに所定の間隔を隔てて少なくとも一対対向して形成され、前記テープ状体７により収納生花１０の所定位置を抑えるようにされていることを特徴とする請求項１ないし請求項３のいずれか１項に記載の生花包装箱。
【手続補正２】
【補正対象書類名】明細書
【補正対象項目名】０００８
【補正方法】変更
【補正の内容】
【０００８】  本考案の請求項１において、内箱体３の側壁とは、両側の横側壁又は底壁の何れかを言う。
上記外箱体１及び内箱体３は、実施例では紙製であるが、合成樹脂シート等の適宜の素材で構成されてよい。
また、外箱体１及び内箱体３は、実施例の直方体形状が好ましいが、円筒状体（楕円断面を含む）でもよく、更に、三角形状等の多角形状でもよい。この際、横側壁、底壁の概念は、夫々実質的に対応する箇所を指すものとする。
そして、覗き窓４についても、その形状は適宜選定できるものであり、そこを被覆する透明カバー５についても、透明フィルム、着色半透明フィルム、透明樹脂シート等が適宜使用できる。
又、前記スリット６、６は、長孔であっても、丸孔であっても、その形状は問わないものであり、そこに挿通されるテープ状体７が挿通できる形状であればよい。そのテープ状体７としては、実施例で用いた包装用に使用されるリボンが好ましいが、紐状体、帯紐状体、一般のテーピィングに用いるテープ、面ファスナー等、適宜のものを使用してよい。前記テープ状体７の端部は、粘着テープにより底壁３Ｂに止められるが、ステイプラー止めでも、結びによって止めてもよいものである。